(57)【要約】【課題】  部品点数を増加させることなく、ブラシから電流がリークすることを防止し、また経時における基布と支持部材の接着剥れを防止することで良好な画像品質を提供する。【解決手段】  支持部材１に貼着した基布４上にブラシ５が植毛され、ブラシ５が転写ベルト７の内周面に摺接する電圧印加部材において、支持部材１にあって、転写ベルト７の走行方向上流側に向かって上方に傾斜する傾斜部２１が形成され、傾斜部２１上にも基布４が貼着されており、かつ、傾斜部２１上の基布４にもブラシ５が植毛されている。【選択図】        図１
2006154155.tif 000002
【特許請求の範囲】
【請求項１】
支持部材と、該支持部材上に貼着した基布と、該基布上に植毛したブラシと、から成り、該ブラシが転写ベルトの内周面に摺接するように配置された電圧印加部材において、前記支持部材の前記転写ベルト走行方向上流側端部には、該転写ベルト内周面に向かって傾斜する傾斜部が形成され、該傾斜部上にも前記基布の一端部が延長形成されていることを特徴とする電圧印加部材。
【請求項２】
請求項１記載の電圧印加部材において、前記傾斜部上の基布にも前記ブラシが植毛されていることを特徴とする電圧印加部材。
【請求項３】
請求項１又は２記載の電圧印加部材において、前記傾斜部頂点の角部を湾曲形状としたことを特徴とする電圧印加部材。
【請求項４】
請求項１、２、又は３に記載の電圧印加部材を有することを特徴とする転写装置。
【請求項５】
請求項４記載の転写装置を備えたことを特徴とする電子写真装置。
【発明の詳細な説明】
【技術分野】
【０００１】
本発明は、電子写真装置において、転写電圧を付与するブラシを植毛した電圧印加部材（ブラシ電圧印加部材）及びその電圧印加部材を有する転写装置、さらにはその転写装置を備えた電子写真装置に関する。
【背景技術】
【０００２】
複写機、プリンタ、ファクシミリ装置などの電子写真装置において、転写位置に転写紙を搬送しつつ感光体上のトナー像の転写を行う転写ベルトに対しては、トナーを転写紙に引き寄せるために電圧が印加されている。この印加機構として、エンドレスのベルト内周面にローラ状の電圧印加部材やブラシ電圧印加部材などを接触させ、転写ベルトに電圧印加する機構が多く取られている。ブラシ電圧印加部材はコストが安いという理由から使用されることが多い。
ブラシ電圧印加部材は、図４に示すような板金などの導電性支持部材２に粘着テープなどで基布４を貼付し、基布４とブラシ５からなる植毛パイル３を保持している構成が一般的である。植毛パイル３（のブラシ５）は画像形成時に走行するベルトに常に接触して電圧印加しているが、この時にベルトと植毛パイル３の摺擦により植毛パイル３を支持部材２から剥そうとする力が働いており、粘着テープの接着力が十分でないと、経時で剥れが発生する問題がある。
ブラシ５は図４のように基布４から垂直に植毛されていることが望ましいが、実際には図５に示すような外側に広がりを持つことがある。特にブラシ素繊維自体のコシが無く、植毛密度が多い場合にこの傾向は顕著になる。また、植毛されたブラシ繊維長さが均一になるようにカットされているが、数十万本もの素繊維全てを同じ長さにすることが難しく、中には数本の長い素繊維がはみ出ている場合がある。
近年、電子写真装置の省スペース化に伴い転写装置が小型化する傾向にある中で、電圧印加部材は転写紙を転写ベルトに吸着させ搬送する目的もあることから、転写ベルト走行方向に対して可能な限り上流側に位置することが望まれる。上記のようなブラシ繊維の広がりや長毛は、近接した他の導電性部材と接触する場合があり、電流がリークする原因となる。このようなリークは重大な画像欠点を引き起こす。
【発明の開示】
【発明が解決しようとする課題】
【０００３】
このような欠点を防止するために、図６に示すように、支持部材２のブラシ直毛領域端部にフィルム状部材６を斜めに貼付けてブラシ繊維端部を押さえ込み、その広がりを防止する場合があるが、部品点数の増加によるコストアップなどの問題がある。
本発明は、部品点数を増加させることなく、ブラシから電流がリークすることを防止し、また経時における基布と支持部材の接着剥れを防止することで良好な画像品質を提供することを目的とする。
【課題を解決するための手段】
【０００４】
上記目的を達成するために、請求項１記載の発明は、支持部材と、該支持部材上に貼着した基布と、該基布上に植毛したブラシと、から成り、該ブラシが転写ベルトの内周面に摺接するように配置された電圧印加部材において、前記支持部材の前記転写ベルト走行方向上流側端部には、該転写ベルト内周面に向かって傾斜する傾斜部が形成され、該傾斜部上にも前記基布の一端部が延長形成されていることを特徴とする。
請求項２の発明は、請求項１記載の電圧印加部材において、前記傾斜部上の基布にも前記ブラシが植毛されていることを特徴とする。
請求項３の発明は、請求項１又は２記載の電圧印加部材において、前記傾斜部頂点の角部を湾曲形状としたことを特徴とする。
請求項４の発明は、請求項１、２、又は３記載の電圧印加部材を有する転写装置を最も主要な特徴とする。
請求項５の発明は、請求項４記載の転写装置を備えた電子写真装置を最も主要な特徴とする。
【発明の効果】
【０００５】
本発明は、支持部材に貼着した基布上にブラシが植毛され、ブラシが転写ベルトの内周面に摺接する電圧印加部材において、支持部材にあって、転写ベルトの走行方向上流側に向かって上方に傾斜する傾斜部が形成され、傾斜部上にも基布が貼着されており、かつ、傾斜部上の基布にもブラシが植毛されていることで所期の目的を達成することができる。
【発明を実施するための最良の形態】
【０００６】
以下、本発明の実施の形態を図面に従って説明する。なお、従来例と同一個所には同一符号を付して重複する説明は省略する。
図１は本発明の実施の形態に係る電圧印加部材（ブラシ電圧印加部材）の構成図、図２は図１の電圧印加部材を有する転写装置の構成図である。
転写装置は、図２に示すように、転写ベルト７が駆動ローラ８と従動ローラ９間に掛け渡されており、転写ベルト７の上側走行面にあってその内周側には電圧印加部材１が配置され（転写装置、或いは機器本体側に固定され）、図１に示すブラシ５が転写ベルト７に摺接している。転写ベルト７は矢印方向に回転する。
図１に示す本発明のブラシ電圧印加部材１は、植毛パイル３を支持する支持部材２において、図２に示す転写ベルト７の矢印の走行方向に対して上流側が植毛パイル３の基布４を持ち上げる方向に曲げてあり、即ち、上流側に向かって上方（ベルト内周面側）に傾斜する傾斜部２１が形成され、傾斜部２１の上面にも基布４（４１）が貼付けられている。
傾斜部２１に貼付けられた基布４１上にもブラシ５が植毛されているため、基布４１上のブラシ５１による押さえ込みにより、上流側に位置する植毛パイル３のブラシ５は外側に広がりにくい形状となる。支持部材２の長手方向植毛部全域に渡りこの断面形状を有している。
【０００７】
次に、本発明の電圧印加部材１を実施例に基いて説明する。図３は植毛パイル（基４、ブラシ５）の説明図である。図１に示した亜鉛処理鋼鈑からなる支持部材２の巾方向端部を４５°に曲げ、内角側に基布巾Ａ１０ｍｍ、植毛巾Ｂ８ｍｍ、ブラシ長さＣ６ｍｍの植毛パイル３を導電性粘着テープ（図示せず）により貼付ける。ここで植毛パイル３はブラシ５であるレーヨン繊維（６００Ｄ／１００Ｆ）をポリエステル繊維からなる基布４に密度１２万Ｆ／ｉｎｃｈ２で植毛したものを用いた。
通常、植毛パイル３は基布２の全巾に亘って植毛すると端部のブラシ５が抜け易くなるため、両端部には植毛されていない部分を残している。本発明では、植毛巾の２ｍｍ以上が傾斜部２１に位置するように貼付けることにより、上流側に位置する植毛パイル端部は外側へ広がりにくい形状となる。
傾斜部２１に基布４１が導電性粘着テープにより貼付けられているが、基布４自体にはコシがあり、曲げられた基布４１は平面になろうとするため、粘着テープを支持部材２に押し付ける方向に力が掛かっている。この力は植毛していない基布４端部のみを曲げても働くが、植毛部の基布も曲げた方がブラシ繊維同士の反発力も加わり、粘着テープを押し付ける力がより大きなものとなる。
【０００８】
本発明に至った実験結果を下表に示す。
基布の傾斜部４１の曲げ角度を変えた電圧印加部材１のサンプルを４種類用意し、転写ベルト７に接触させ剥れに至ったベルト走行時間を計測した。
2006154155.tif 000003
（試験条件）  貼り付け後放置  ２４ｈｒ
ベルトへの食込み  １ｍｍ
ベルト速度  ３００ｍｍ／ｓ
ベルト材質  ＮＢＲ
支持部材２の傾斜部２１先端は植毛パイル貼付け面と逆側にさらに曲げを行い、転写装置装着時の転写ベルト７と最接近する角部をＲ形状（円弧形状を含む湾曲形状）にしている。また、これらの形状は電圧印加部材１のある断面に特定したものでは無く、植毛パイル３及び支持部材２の長手方向巾全域において同一形状にした。
本発明の電圧印加部材１を転写装置に装着したところ、ブラシ繊維が装置内の近傍にある他の導電性部材と接触することは無かった。
本実施形態の電圧印加部材は支持部材の傾斜部に基布が貼り付けられているため、植毛パイル巾方向（図３Ａに示す方向）端部の剥れを防止することができ、経時に渡り画像品質を良好に保持することができる。
また、曲げ部に貼られた基布４１上にもブラシ５１が植毛されているため、このブラシ５１がブラシ繊維端部を押さえ込み、その外側への広がりを抑制でき、電圧印加時に他の部材への印加電流のリークを防止することができるため、良好な画像を提供することができる。
また、支持部材２の転写ベルトと最接近する部分（角部）２２がＲ形状となっているので、着脱時にベルトを傷つけることが軽減されるため、転写ベルト傷による画像不良を防止することができる。
【図面の簡単な説明】
【０００９】
【図１】本発明の実施の形態に係る電圧印加部材の構成図。
【図２】図１の電圧印加部材を有する転写装置の構成図。
【図３】植毛パイルの説明図。
【図４】従来の電圧印加部材の構成図（その１）。
【図５】図４の電圧印加部材の不具合を示す図。
【図６】従来の電圧印加部材の構成図（その２）。
【符号の説明】
【００１０】
１  電圧印加部材、２  支持部材、３  植毛パイル、４  基布、５  ブラシ、２１  傾斜部、２２  角部
【図１】
2006154155.tif 000004
【図２】
2006154155.tif 000005
【図３】
2006154155.tif 000006
【図４】
2006154155.tif 000007
【図５】
2006154155.tif 000008
【図６】
2006154155.tif 000009